(57)【要約】  【課題】  簡易なインターフェースにより、ＰＯＩの情報をウェブ上からキーワード検索して提供するＰＯＩ情報提供装置を提供する。  【解決手段】  ＰＯＩ情報提供装置１は、ＰＯＩの情報を検索エンジン４０を用いて検索して提供する装置であって、地図表示部１０と、検索対象のＰＯＩの選択を受け付けるＰＯＩ選択部１２と、検索対象のＰＯＩの名称と位置座標を地図ＤＢ１４から読み出すＰＯＩデータ取得部１６と、地域データサーバ５０にアクセスしてＰＯＩの位置座標に対応する住所データを取得する地域データ取得部１８と、取得した住所データから地域特定キーワードを決定する地域特定キーワード決定部２２と、ＰＯＩの名称と地域特定キーワードとを検索エンジンに送信する検索キーワード送信部２４と、検索エンジンから送信される検索結果を受信する検索結果受信部２６と、検索結果を表示する検索結果表示部２８とを備える。【選択図】  図１
2010128883.tif 000002
【特許請求の範囲】
【請求項１】
地図上に表示された地点に関連する情報である地点関連情報を検索エンジンを用いて検索して提供する地点関連情報提供装置であって、
地図を表示する地図表示部と、
前記地図表示部にて表示された地図の中から、地点関連情報の検索対象の地点の選択を受け付ける地点選択部と、
地点の名称および位置座標を記憶した地点データベースから、前記検索対象の地点の名称と位置座標を読み出す地点データ取得部と、
位置座標により示される地域に関する地域データを前記位置座標に関連付けて記憶した地域データベースから、前記検索対象の地点の位置座標に関連付けられた地域データを読み出す地域データ取得部と、
前記地域データ取得部にて取得した地域データに基づいて、その地域を特定するための地域特定キーワードを決定する地域特定キーワード決定部と、
前記地点の名称と前記地域特定キーワードとを前記検索エンジンに送信する検索キーワード送信部と、
前記検索エンジンから送信される検索結果を受信する検索結果受信部と、
前記検索結果を地点関連情報として表示する検索結果表示部と、
を備える地点関連情報提供装置。
【請求項２】
前記地域データ取得部は、前記位置座標に対応する住所、若しくは、前記位置座標の近辺にある駅またはバス停またはインターチェンジまたは大通りの名称を取得する請求項１に記載の地点関連情報提供装置。
【請求項３】
前記地域特定キーワード決定部は、前記検索対象の地点の属性に基づいて、前記地域データから前記地域特定キーワードを決定する請求項１または２に記載の地点関連情報提供装置。
【請求項４】
地図上に表示された地点に関連する情報である地点関連情報を検索エンジンを用いて検索して提供する地点関連情報提供装置であって、
地図を表示する地図表示部と、
前記地図表示部にて表示された地図の中から、地点関連情報の検索対象の地点の選択を受け付ける地点選択部と、
地点の名称および位置座標を記憶した地点データベースから、前記検索対象の地点の名称と位置座標を読み出す地点データ取得部と、
位置座標により示される地域を特定する地域特定キーワードを前記位置座標に関連付けて記憶した地域特定キーワードデータベースから、前記検索対象の地点の位置座標に関連付けられた地域特定キーワードを読み出す地域特定キーワード取得部と、
前記地点の名称と前記地域特定キーワードとを前記検索エンジンに送信する検索キーワード送信部と、
前記検索エンジンから送信される検索結果を受信する検索結果受信部と、
前記検索結果を地点関連情報として表示する検索結果表示部と、
を備える地点関連情報提供装置。
【請求項５】
地図上に表示された地点に関連する情報である地点関連情報を検索エンジンを用いて検索して提供する方法であって、
地図を表示するステップと、
表示された地図の中から、地点関連情報の検索対象の地点の選択を受け付けるステップと、
地点の名称および位置座標を記憶した地点データベースから、前記検索対象の地点の名称と位置座標を読み出すステップと、
位置座標により示される地域に関する地域データを前記位置座標に関連付けて記憶した地域データベースから、前記検索対象の地点の位置座標に関連付けられた地域データを読み出すステップと、
前記地域データに基づいて、その地域を特定するための地域特定キーワードを決定するステップと、
前記地点の名称と前記地域特定キーワードとを前記検索エンジンに送信するステップと、
前記検索エンジンから送信される検索結果を受信するステップと、
前記検索結果を地点関連情報として表示するステップと、
を備える地点関連情報提供方法。
【請求項６】
地図上に表示された地点に関連する情報である地点関連情報を検索エンジンを用いて検索して提供するプログラムであって、コンピュータに、
地図を表示するステップと、
表示された地点の中から検索対象の地点の選択を受け付けるステップと、
地点の名称および位置座標を記憶した地点データベースから、前記検索対象の地点の名称と位置座標を読み出すステップと、
位置座標により示される地域に関する地域データを前記位置座標に関連付けて記憶した地域データベースから、前記検索対象の地点の位置座標に関連付けられた地域データを読み出すステップと、
前記地域データに基づいて、その地域を特定するための地域特定キーワードを決定するステップと、
前記地点の名称と前記地域特定キーワードとを前記検索エンジンに送信するステップと、
前記検索エンジンから送信される検索結果を受信するステップと、
前記検索結果を地点関連情報として表示するステップと、
を実行させるプログラム。
【発明の詳細な説明】
【技術分野】
【０００１】
本発明は、地点に関連する情報をウェブ上からキーワード検索し、提供するシステムに関する。
【背景技術】
【０００２】
従来から、ＰＯＩを表示した地図を表示する様々なシステムが普及している。さらに進んだシステムでは、地図上に表示されたＰＯＩをクリックすることにより、そのＰＯＩの詳細情報を表示することができる。このようなシステムにおいては、あらかじめＰＯＩの詳細情報を記憶しておき、クリックされたＰＯＩに対応する詳細情報を読み出して表示する仕組みとなっている。従って、情報を提供できるＰＯＩは、あらかじめ詳細情報を記憶したＰＯＩに限定されていた。
【０００３】
特許文献１は、ウェブ上にある情報源からＰＯＩの一つである施設の情報を検索できる情報提供装置を開示している。特許文献１に記載の情報提供装置では、入力された検索キーを情報源に合った検索キーに変換し、ウェブ上のデータベースを検索する。
【特許文献１】特開２００２−８２９８２号公報
【発明の開示】
【発明が解決しようとする課題】
【０００４】
しかしながら、特許文献１において、情報源に合った検索キーとは、地区を特定する緯度、経度の表現を情報源での表現に合わせた検索キーのことを述べており、ウェブ上の情報源とは、施設の情報を位置情報によって整理した特定のデータベースのことを指している。特許文献１では、情報源をウェブ上にまで拡張しているが、その検索範囲は、依然として特定のデータベースに限定されている。従って、例えば、個人が作成しているようなブログから口コミ情報を検索するというようなことはできなかった。
【０００５】
他方で、ウェブ上のあらゆるサイトからキーワードによって情報を検索できる検索エンジンが知られている。この検索エンジンを利用すれば、ＰＯＩの情報を検索することが可能である。
【０００６】
しかしながら、地図上に表示されたＰＯＩの情報を検索するための適切なキーワードを選定することは容易ではない。例えば、単にＰＯＩの名称をキーワードとして用いると、膨大な量の関係のない情報まで検索されてしまい、検索結果の中から所望の情報を見つけ出すことは困難である。また、検索エンジンにアクセスし、選定したキーワードを入力するという作業も煩雑である。
【０００７】
そこで、本発明は上記背景に鑑み、簡易なインターフェースにより、地点に関連する情報をウェブ上からキーワード検索して提供する地点関連情報提供装置を提供することを目的とする。
【課題を解決するための手段】
【０００８】
本発明の地点関連情報提供装置は、地図上に表示された地点に関連する情報である地点関連情報を検索エンジンを用いて検索して提供する地点関連情報提供装置であって、地図を表示する地図表示部と、前記地図表示部にて表示された地図の中から、地点関連情報の検索対象の地点の選択を受け付ける地点選択部と、地点の名称および位置座標を記憶した地点データベースから、前記検索対象の地点の名称と位置座標を読み出す地点データ取得部と、位置座標により示される地域に関する地域データを前記位置座標に関連付けて記憶した地域データベースから、前記検索対象の地点の位置座標に関連付けられた地域データを読み出す地域データ取得部と、前記地域データ取得部にて取得した地域データに基づいて、その地域を特定するための地域特定キーワードを決定する地域特定キーワード決定部と、前記地点の名称と前記地域特定キーワードとを前記検索エンジンに送信する検索キーワード送信部と、前記検索エンジンから送信される検索結果を受信する検索結果受信部と、前記検索結果を地点関連情報として表示する検索結果表示部とを備える。前記地域データ取得部は、前記位置座標に対応する住所、若しくは、前記位置座標の近辺にある駅またはバス停またはインターチェンジまたは大通りの名称を取得してもよい。
【０００９】
このように地図上で選択された地点の位置座標から地域特定キーワードを決定し、地域特定キーワードを地点の名称と共に検索エンジンに送信することにより、精度の高い検索を行うことができる。また、地域特定キーワードは自動的に決定され、検索エンジンに送信されるので、ユーザは、地点関連情報を検索するためのキーワードを選定したり、入力したりする手間がなく、便利である。
【００１０】
本発明の地点関連情報提供装置において、前記地域特定キーワード決定部は、前記検索対象の地点の属性に基づいて、前記地域データから前記地域特定キーワードを決定してもよい。
【００１１】
このように検索対象となる地点の属性に基づいて地域特定キーワードを決定することにより、精度の高い検索を行うことができる。例えば、地点の属性が遊園地の場合には、車や電車を利用することが多く、ブログ等の情報源に駅名、大通り名、インターチェンジ名等が現れると考えられる。この場合には、地域特定キーワードとして、駅名、大通り名、インターチェンジ名等を用いる。別の例として、地点の属性が喫茶店の場合には、車を利用する場合より、電車やバスを利用することが多く、情報源に駅名やバス停名等が現れると考えられる。このような場合には、地域特定キーワードとして、駅名、バス停名等を用いる。ここでは、説明の便宜上、仮想的な例を挙げて説明しているが、実際に、地点の属性に対してどの地域特定キーワードを用いるのがよいかは、検索結果に対する評価等に応じて調整することができる。
【００１２】
本発明の別の態様に係る地点情報提供装置は、地図上に表示された地点に関連する情報である地点関連情報を検索エンジンを用いて検索して提供する地点関連情報提供装置であって、地図を表示する地図表示部と、前記地図表示部にて表示された地図の中から、地点関連情報の検索対象の地点の選択を受け付ける地点選択部と、地点の名称および位置座標を記憶した地点データベースから、前記検索対象の地点の名称と位置座標を読み出す地点データ取得部と、位置座標により示される地域を特定する地域特定キーワードを前記位置座標に関連付けて記憶した地域特定キーワードデータベースから、前記検索対象の地点の位置座標に関連付けられた地域特定キーワードを読み出す地域特定キーワード取得部と、前記地点の名称と前記地域特定キーワードとを前記検索エンジンに送信する検索キーワード送信部と、前記検索エンジンから送信される検索結果を受信する検索結果受信部と、前記検索結果を地点関連情報として表示する検索結果表示部とを備える。
【００１３】
このように地図上で選択された地点の位置座標から地域特定キーワードを読み出し、地域特定キーワードを地点の名称と共に検索エンジンに送信することにより、精度の高い検索を行うことができる。地点の位置座標に地域特定キーワードを関連付けて記憶しているので、それぞれの地点の周辺情報に対応した地域特定キーワードを用いることができる。
【００１４】
本発明の地点関連情報提供方法は、地図上に表示された地点に関連する情報である地点関連情報を検索エンジンを用いて検索して提供する方法であって、地図を表示するステップと、表示された地図の中から、地点関連情報の検索対象の地点の選択を受け付けるステップと、地点の名称および位置座標を記憶した地点データベースから、前記検索対象の地点の名称と位置座標を読み出すステップと、位置座標により示される地域に関する地域データを前記位置座標に関連付けて記憶した地域データベースから、前記検索対象の地点の位置座標に関連付けられた地域データを読み出すステップと、前記地域データに基づいて、その地域を特定するための地域特定キーワードを決定するステップと、前記地点の名称と前記地域特定キーワードとを前記検索エンジンに送信するステップと、前記検索エンジンから送信される検索結果を受信するステップと、前記検索結果を地点関連情報として表示するステップとを備える。
【００１５】
本発明のプログラムは、地図上に表示された地点に関連する情報である地点関連情報を検索エンジンを用いて検索して提供するプログラムであって、コンピュータに、地図を表示するステップと、表示された地点の中から検索対象の地点の選択を受け付けるステップと、地点の名称および位置座標を記憶した地点データベースから、前記検索対象の地点の名称と位置座標を読み出すステップと、位置座標により示される地域に関する地域データを前記位置座標に関連付けて記憶した地域データベースから、前記検索対象の地点の位置座標に関連付けられた地域データを読み出すステップと、前記地域データに基づいて、その地域を特定するための地域特定キーワードを決定するステップと、前記地点の名称と前記地域特定キーワードとを前記検索エンジンに送信するステップと、前記検索エンジンから送信される検索結果を受信するステップと、前記検索結果を地点関連情報として表示するステップとを実行させる。
【００１６】
これらの構成により、上記した地点関連情報提供装置と同様に、地域特定キーワードを用いて精度の高い検索を行うことができる。また、上記した地点関連情報提供装置の各種の構成を本発明の地点関連情報提供方法およびプログラムに適用することも可能である。
【発明の効果】
【００１７】
本発明によれば、地図上で選択された地点の位置座標から地域特定キーワードを決定し、地域特定キーワードを地点の名称と共に検索エンジンに送信することにより、精度の高い検索を行うことができるという効果を有する。
【発明を実施するための最良の形態】
【００１８】
以下、本発明の実施の形態の地点関連情報提供装置について図面を参照して説明する。下記の説明においては、地点関連情報としてＰＯＩの情報を提供する装置を例として説明するが、本発明の地点関連情報提供装置は、例えば、施設や店舗等の情報に限定されず、地点に関連するあらゆる情報を提供することができる。
【００１９】
（第１の実施の形態）
図１は、第１の実施の形態のＰＯＩ情報提供装置１の構成を示す図である。ＰＯＩ情報提供装置１は、インターネット６０を介して、検索エンジン４０および地域データサーバ５０と接続されている。検索エンジン４０は、ウェブ上で提供されている例えばＧｏｏｇｌｅ（登録商標）、ｙａｈｏｏ（登録商標）等の一般的な検索エンジンを利用することができる。ＰＯＩ情報提供装置１は、検索エンジン４０に対してＰＯＩについてのキーワードを送信し、その検索結果を表示する。地域データサーバ５０は、後述するように、所定の位置座標により示される地域に関するデータ（地域データ）を提供するサーバである。
【００２０】
ＰＯＩ情報提供装置１は、例えば、インターネット６０に接続されたコンピュータによって構成される。以下で説明する機能を実現するプログラムをコンピュータにインストールすることにより、ＰＯＩ情報提供装置１を実現することができる。ＰＯＩ情報提供装置１を実現するプログラムも本発明の範囲に含まれる。以下に、ＰＯＩ情報提供装置１の構成について詳しく説明する。
【００２１】
ＰＯＩ情報提供装置１は、ＰＯＩを含む地図を表示する地図表示部１０と、表示された地図へのポインティングによりＰＯＩの選択を受け付けるＰＯＩ選択部１２と、選択されたＰＯＩについての情報を表示する検索結果表示部２８とを有している。ここで、ＰＯＩ選択部１２は、本発明の「地点選択部」に相当する。
【００２２】
地図表示部１０は、地図データベース（以下、「地図ＤＢ」という）１４に記憶された地図データを読み出し、地図を表示する。地図ＤＢ１４には、ＰＯＩの名称および位置座標のデータも記憶されている。地図ＤＢ１４は、地点データベースの役割も果たしている。
【００２３】
図２は、地図ＤＢ１４に記憶されたＰＯＩのデータの例を示す図である。ＰＯＩを識別するＩＤにＰＯＩ名と位置座標とが関連付けて記憶されている。地図表示部１０は、表示範囲に含まれるＰＯＩの名称を読み出し、地図上にＰＯＩの名称を表示する。なお、地図表示部１０は、ＰＯＩの名称に代えて、ＰＯＩの略称を表示したり、ＰＯＩを示す記号を表示してもよい。
【００２４】
ＰＯＩ情報提供装置１は、ＰＯＩ選択部１２にて選択されたＰＯＩデータ（ＰＯＩの名称、ＰＯＩの位置座標）を地図ＤＢ１４から読み出すＰＯＩデータ取得部１６と、ＰＯＩの位置座標から地域データを取得する地域データ取得部１８を有している。ＰＯＩデータ取得部１６は、本発明の「地点データ取得部」に相当する。地域データ取得部１８は、ＰＯＩの位置座標のデータを通信部２０を介して地域データサーバ５０に送信し、地域データサーバ５０から送信される地域データを取得する。
【００２５】
図３は、地域データサーバ５０が有する地域データベース（以下、「地域ＤＢ」という）５２に記憶されたデータの例を示す図である。地域ＤＢ５２には、位置座標と住所データとが関連付けて記憶されている。本実施の形態では、地域データとして住所データを用いている。地域データサーバ５０は、位置座標のデータを受信すると、地域ＤＢ５２に記憶されたデータを用いて位置座標を住所に変換する。地域データサーバ５０は、変換後の住所データを、位置座標データの送信元の装置に送信する。
【００２６】
ＰＯＩ情報提供装置１は、地域データ取得部１８にて取得した住所データに基づいて検索キーワードを決定する地域特定キーワード決定部２２と、決定された検索キーワードを検索エンジン４０に送信する検索キーワード送信部２４と、検索エンジン４０から送信される検索結果を受信する検索結果受信部２６とを有している。
【００２７】
地域特定キーワード決定部２２は、地域データ取得部１８にて取得した住所データから、住所表記の一部を切り出して、地域特定キーワードとして決定する。例えば、住所が「東京都千代田区霞が関○丁目○番地○号」の場合、「霞が関」の部分を切り出して検索キーワードとしてもよい。検索キーワード送信部２４は、ＰＯＩデータ取得部１６にて取得したＰＯＩの名称と地域特定キーワード決定部２２にて決定された地域特定キーワードを通信部２０を通じて検索エンジン４０に送信する。検索エンジン４０は、ＰＯＩの名称と地域特定キーワードの両方を含むサイトを検索し、その一覧を検索結果として返す。
【００２８】
図４は、第１の実施の形態のＰＯＩ情報提供装置１の動作を示すフローチャートである。ＰＯＩ情報提供装置１は、地図ＤＢ１４から地図データを読み出し、地図を表示する（Ｓ１０）。ＰＯＩ情報提供装置１は、地図へのポインティングを検知すると、ポインティングされた位置にあるＰＯＩの選択を受け付ける（Ｓ１２）。ＰＯＩ情報提供装置１は、地図ＤＢ１４から選択されたＰＯＩデータを読み出し（Ｓ１４）、読み出したＰＯＩの名称をキーワードとして、ＰＯＩの情報を検索する（Ｓ１６）。ＰＯＩ情報提供装置１は、検索された情報の数が所定の閾値より多いか否かを判定する（Ｓ１８）。この結果、検索された情報の数が所定の閾値より多いと判定されなかった場合には（Ｓ１８でＮＯ）、検索結果を表示する（Ｓ２６）。
【００２９】
検索された情報の数が所定の閾値より多いと判定された場合には（Ｓ１８でＹＥＳ）、ＰＯＩ情報提供装置１は、ＰＯＩの位置座標に対応する住所データを取得する（Ｓ２０）。具体的には、地域データ取得部１８が、ＰＯＩの位置座標データを地域データサーバ５０に送信し、地域データサーバ５０から送信される住所データを受信する。ＰＯＩ情報提供装置１は、取得した住所から、地域特定キーワードを決定する（Ｓ２２）。
【００３０】
続いて、ＰＯＩ情報提供装置１は、ＰＯＩの名称と地域特定キーワードを検索エンジン４０に送信し、ＰＯＩの情報を検索する（Ｓ２４）。ＰＯＩ情報提供装置１は、検索エンジン４０から送信される検索結果を受信し、受信した検索結果を表示する（Ｓ２６）。以上、第１の実施の形態のＰＯＩ情報提供装置１の構成および動作について説明した。
【００３１】
本実施の形態のＰＯＩ情報提供装置１は、検索エンジン４０を利用した検索により、情報源を限定することなく、ＰＯＩに関係のある情報をウェブ上から取得するので、例えば、個人のブログ等に書き込まれた情報等を検索し、提供することができる。
【００３２】
本実施の形態のＰＯＩ情報提供装置１は、ＰＯＩの位置座標からＰＯＩの住所データを取得し、住所データに基づいて地域特定キーワードを決定する。この地域特定キーワードをＰＯＩの名称と共に検索のキーワードとして用いることにより、精度の高い検索を行うことができる。
【００３３】
本実施の形態のＰＯＩ情報提供装置１は、表示された地図の中から検索対象となるＰＯＩを選択するだけで、そのＰＯＩの情報の検索結果が得られるので、キーワードを選定したり、入力する手間がなく、便利である。
【００３４】
本実施の形態のＰＯＩ情報提供装置１は、最初にＰＯＩの名称をキーワードとする検索を行い（Ｓ１６）、その結果、閾値より多数の検索結果が得られた場合に（Ｓ１８でＹＥＳ）、地域特定キーワードを用いた検索を行うので、ＰＯＩの名称により検索結果が十分に絞り込まれた場合には、その検索結果を表示することができる。
【００３５】
（第２の実施の形態）
図５は、本発明の第２の実施の形態のＰＯＩ情報提供装置２の構成を示す図である。第２の実施の形態のＰＯＩ情報提供装置２の基本的な構成は第１の実施の形態と同じであるが、地域データ取得部１８ａが住所以外の地域データを取得する点、地域特定キーワード決定部２２ａがＰＯＩの属性によって地域特定キーワードを決定する点が異なる。以下では、第１の実施の形態のＰＯＩ情報提供装置１の構成と異なる点を中心に説明する。
【００３６】
図６は、地域ＤＢ５４に記憶された地域データの例を示す図である。地域ＤＢ５４には、地図上のどの地点がどの地域データに関連付けられるかを示すデータが記憶されている。地域データに関連付けられる範囲は、その地域データの種類に応じて異なっている。図６に示す例では、例えば、駅の場合には半径２ｋｍ以内、バス停の場合には半径１ｋｍ以内、大通りの場合には大通りから２ｋｍ以内の範囲にある場合に、地域データと関連付けられる。例えば、地点Ａは駅とバス停の地域データに関連付けられ、地点Ｂは大通りの地域データに関連付けられる。
【００３７】
地域特定キーワード決定部２２ａは、地域データ取得部１８ａにて取得した地域データの中から、検索キーワードとして用いる地域特定キーワードを決定する。地域特定キーワード決定部２２には、キーワード種類テーブル３０が接続されている。
【００３８】
図７は、キーワード種類テーブル３０に記憶されたデータの例を示す図である。キーワード種類テーブル３０には、ＰＯＩの属性とキーワードの種類とが対応付けて記憶されている。図７に示す例では、例えば、ＰＯＩの種類がアウトレットモールの場合には、大通り、またはインターチェンジの名称を地域特定キーワードとして決定することが分かる。従って、例えば、検索対象として選択されたＰＯＩの属性がアウトレットモールであり、そのＰＯＩの地域データとして、駅、バス停、大通りの名称を取得した場合には、地域特定キーワード決定部２２は、大通りの名称をＰＯＩの地域特定キーワードとして決定する。
【００３９】
図８は、第２の実施の形態のＰＯＩ情報提供装置２の動作を示すフローチャートである。第２の実施の形態のＰＯＩ情報提供装置２の基本的な動作は第１の実施の形態のＰＯＩ情報提供装置１と同じである。第２の実施の形態においては、ＰＯＩ名での検索により検索結果の数が閾値より多い場合には（Ｓ１８でＹＥＳ）、ＰＯＩ情報提供装置２は、地域データ取得部１８ａにより地域データを取得する（Ｓ２１）。続いて、ＰＯＩ情報提供装置１は、地域データに基づいて地域特定キーワードを決定し（Ｓ２２）、決定した地域特定キーワードとＰＯＩの名称とを用いてＰＯＩの情報を検索し（Ｓ２４）、検索結果を表示する（Ｓ２６）。以上、第２の実施の形態のＰＯＩ情報提供装置２の構成および動作について説明した。
【００４０】
第２の実施の形態のＰＯＩ情報提供装置２は、駅、バス停、大通り等の名称を地域データとして用い、その中からＰＯＩの属性に応じて地域特定キーワードを決定するので、ＰＯＩと共に現れる可能性の高いキーワードを用いて精度良く情報を検索することができる。
【００４１】
また、第２の実施の形態のＰＯＩ情報提供装置２は、個人のブログ等に書き込まれた情報等を提供することができる等の上記した第１の実施の形態のＰＯＩ情報提供装置１と同様の効果を有する。
【００４２】
なお、本実施の形態においては、地域特定キーワード決定部２２ａは、ＰＯＩの属性に応じて地域特定キーワードを決定しているが、取得した地域データのすべてを地域特定キーワードとして用いることも可能である。この場合、複数の地域特定キーワードをすべて含む情報を検索することも可能であるし、いずれかの地域特定キーワードを含む情報を検索することも可能である。
【００４３】
（第３の実施の形態）
図９は、第３の実施の形態のＰＯＩ情報提供装置３の構成を示す図である。第３の実施の形態のＰＯＩ情報提供装置３の基本的な構成は、第１の実施の形態のＰＯＩ情報提供装置１と同じであるが、地域データ取得部１８に代えて地域特定キーワード取得部３２を有している点が異なる。また、ＰＯＩ情報提供装置３は、地域データサーバ５０ではなく、地域特定キーワードサーバ５６に接続されている。以下では、第１の実施の形態のＰＯＩ情報提供装置１の構成と異なる点を中心に説明する。
【００４４】
図１０は、地域特定キーワードサーバ５６が有するキーワードデータベース（以下、「キーワードＤＢ」という）５８に記憶されたデータの例を示す図である。キーワードＤＢ５８には、位置座標のデータと地域特定キーワードとが対応付けて記憶されている。ここで、位置座標のデータは、特定の地点を示すデータではなく、特定の面積を持った地域を示すデータである。地域特定キーワードサーバ５６は、ＰＯＩ情報提供装置３から位置座標のデータを受信すると、その位置座標に対応する地域特定キーワードをキーワードＤＢ５８から読み出し、読み出した地域特定キーワードをＰＯＩ情報提供装置３に送信する。
【００４５】
地域特定キーワード取得部３２は、ＰＯＩデータ取得部１６にて取得したＰＯＩの位置座標を地域特定キーワードサーバ５６に送信し、地域特定キーワードサーバ５６から送信される地域特定キーワードを受信することにより、地域特定キーワードを取得する。
【００４６】
図１１は、第３の実施の形態のＰＯＩ情報提供装置３の動作を示すフローチャートである。第３の実施の形態のＰＯＩ情報提供装置３の基本的な動作は、第１の実施の形態のＰＯＩ情報提供装置１の動作と同じである。第３の実施の形態においては、ＰＯＩ名での検索により検索結果の数が閾値より多い場合には（Ｓ１８でＹＥＳ）、ＰＯＩ情報提供装置３は、地域特定キーワード取得部３２により地域特定キーワードを取得する（Ｓ２３）。続いて、ＰＯＩ情報提供装置３は、取得した地域特定キーワードとＰＯＩの名称とを用いてＰＯＩの情報を検索し（Ｓ２４）、検索結果を表示する（Ｓ２６）。以上、第３の実施の形態のＰＯＩ情報提供装置３の構成および動作について説明した。
【００４７】
第３の実施の形態のＰＯＩ情報提供装置３は、キーワードＤＢ５８を有する地域特定キーワードサーバ５６に対して、位置座標に対応する地域特定キーワードを問い合わせることにより、容易に地域特定キーワードを取得することができる。
【００４８】
また、第３の実施の形態のＰＯＩ情報提供装置３は、個人のブログ等に書き込まれた情報等を提供することができる等の上記した第１の実施の形態のＰＯＩ情報提供装置１と同様の効果を有する。
【００４９】
なお、第３の実施の形態において、キーワードＤＢ５８に記憶する地域特定キーワードは、キーワード検索の結果に応じて更新してもよい。所望の情報に迅速にアクセスできたか否かのフィードバックに基づいて、迅速にアクセスできなかったキーワードは、キーワードＤＢ５８から削除し、迅速にアクセスできたキーワードをキーワードＤＢ５８に残すようにする。なお、迅速にアクセスできたか否かの情報は、例えば、同じＰＯＩについて再度検索を行ったか否かをＰＯＩ情報提供装置３にて監視し、その情報を地域特定キーワードサーバ５６に送信することにより、取得することができる。
【００５０】
以上、本発明のＰＯＩ情報提供装置について実施の形態を挙げて詳細に説明したが、本発明は上記した実施の形態に限定されるものではない。
【００５１】
上記した第１の実施の形態においては、地域データサーバ５０が地域ＤＢ５２を有する例について説明したが、ＰＯＩ情報提供装置１が地域ＤＢ５２を有することとしてもよい。同様に、第２の実施の形態において、ＰＯＩ情報提供装置２が地域ＤＢ５４を有することとしてもよい。また、第３の実施の形態においては、地域特定キーワードサーバ５６がキーワードＤＢ５８を有する例について説明したが、ＰＯＩ情報提供装置３がキーワードＤＢ５８を有することとしてもよい。
【００５２】
上記した実施の形態では、ＰＯＩ情報提供装置１〜３が地図ＤＢ１４を有する例について説明したが、地図ＤＢ１４はインターネット６０に接続されたサーバに持たせることとしてもよい。
【００５３】
上記した第１の実施の形態において、住所表記のどの部分（市町村、市町村より一つ下の大字、小字など）を用いるかをＰＯＩの属性に応じて決定してもよい。また、住所から切り出した大字や小字が全国各地に見られる名称であるか否かを判定し、全国各地に見られる名称の場合には、市町村名や県名を併せて地域特定キーワードとしてもよい。
【００５４】
本発明は、ある程度の広さを有するエリアに関連する地点関連情報を提供することもできる。例えば、「○○中華街」等のように複数の店舗が集合して一つのエリアを形成している場合に、「○○中華街」という名称と、その地域を特定する地域特定キーワードを用いて、地点関連情報を検索し、提供してもよい。
【産業上の利用可能性】
【００５５】
以上説明したように、本発明によれば、地域特定キーワードを用いることにより、精度の高い検索を行うことができるという効果を有し、例えば、地点に関連する情報をウェブ上からキーワード検索して提供するシステム等として有用である。
【図面の簡単な説明】
【００５６】
【図１】第１の実施の形態のＰＯＩ情報提供装置の構成を示す図である。
【図２】地図データベースに記憶されたＰＯＩのデータの例を示す図である。
【図３】地域ＤＢに記憶されたデータの例を示す図である。
【図４】第１の実施の形態のＰＯＩ情報提供装置の動作を示す図である。
【図５】第２の実施の形態のＰＯＩ情報提供装置の構成を示す図である。
【図６】地域ＤＢに記憶されたデータの例を示す図である。
【図７】キーワード種類テーブルに記憶されたデータの例を示す図である。
【図８】第２の実施の形態のＰＯＩ情報提供装置の動作を示す図である。
【図９】第３の実施の形態のＰＯＩ情報提供装置の構成を示す図である。
【図１０】キーワードＤＢに記憶されたデータの例を示す図である。
【図１１】第３の実施の形態のＰＯＩ情報提供装置の動作を示す図である。
【符号の説明】
【００５７】
１〜３  ＰＯＩ情報提供装置
１０  地図表示部
１２  ＰＯＩ選択部
１４  地図ＤＢ
１６  ＰＯＩデータ取得部
１８，１８ａ  地域データ取得部
２０  通信部
２２，２２ａ  地域特定キーワード決定部
２４  検索キーワード送信部
２６  検索結果受信部
２８  検索結果表示部
３０  キーワード種類テーブル
３２  地域特定キーワード取得部
４０  検索エンジン
５０  地域データサーバ
５２，５４  地域ＤＢ
５６  地域特定キーワードサーバ
５８  キーワードＤＢ
６０  インターネット
【図１】
2010128883.tif 000003
【図２】
2010128883.tif 000004
【図３】
2010128883.tif 000005
【図４】
2010128883.tif 000006
【図５】
2010128883.tif 000007
【図６】
2010128883.tif 000008
【図７】
2010128883.tif 000009
【図８】
2010128883.tif 000010
【図９】
2010128883.tif 000011
【図１０】
2010128883.tif 000012
【図１１】
2010128883.tif 000013